(57)【要約】【課題】製造が容易であり、かつ、展示の際に内部に収容された菓子などの内容物を顧客に見せることができ、さらに、起立させた状態で展示しても内部に収容された内容物が抜け落ちるおそれのない包装箱を提供する。【解決手段】包装箱１は、１枚のシート材からなる箱本体２を備える。箱本体２は、底面板２０、前面板２１、後面板２２及び天面板２３を有する。天面板２３は、箱本体２内に収容される内容物１０を出し入れ可能な開口部２４を囲む額縁形状であり、開口部２４の前後方向の長さが内容物１０の前後方向の長さよりも短くなるように、前面板２１及び後面板２２から内側に突き出ている。天面板２３には、開口部２４の周縁から垂れ下がりかつ箱本体２内の内容物１０を前面板２１及び後面板２２とで囲む左右一対の左側面板２６及び右側面板２７が設けられている。【選択図】図１２
0003201328.tif 000002
【実用新案登録請求の範囲】
【請求項１】
１枚のシート材からなる箱本体を備える包装箱であって、
前記箱本体は、矩形状の底面板と、前記底面板の前端縁に設けられた前面板と、前記底面板の後端縁に設けられた後面板と、前記前面板及び前記後面板の上端縁同士を接続する天面板と、を有し、
前記天面板は、前記箱本体内に収容される内容物を出し入れ可能な開口部を囲む額縁形状であり、前記開口部の前後方向の長さが前記内容物の前後方向の長さよりも短くなるように、前記前面板及び前記後面板から内側に突き出ており、
前記天面板には、前記開口部の周縁から垂れ下がりかつ前記箱本体内の内容物を前記前面板及び前記後面板とで囲む左右一対の左側面板及び右側面板が設けられている包装箱。
【請求項２】
前記前面板及び前記後面板には、それぞれ左右両端縁から内側に折れ曲がりかつ前記左側面板及び前記右側面板とそれぞれ係止する一対の係止片が設けられている請求項１に記載の包装箱。
【請求項３】
前記左側面板及び前記右側面板には、それぞれ下端縁から内側に折れ曲がり前記底面板上に重ね合わされる脚部が設けられており、
前記係止片の下端縁には、前記脚部を差し込ませて前記係止片と係止させる差込孔が形成されている請求項２に記載の包装箱。
【請求項４】
前記天面板の前記開口部を塞ぐ蓋板をさらに備え、
前記蓋板は、中央で折り曲げ可能な１枚のシート材からなり、中央位置に指１本を挿入することができる大きさの挿入孔が形成されている請求項１〜３のいずれかに記載の包装箱。
【考案の詳細な説明】
【技術分野】
【０００１】
本考案は、菓子などを収容するための包装箱に関する。
【背景技術】
【０００２】
通常、和菓子や洋菓子の菓子は、菓子用の包装箱に収容されて販売される。この種の包装箱として、図１３及び図１４に示す包装箱が従来から知られている。図１３に示す包装箱１００は、角筒状の本体部１０１の両端に手で開閉が可能な蓋部１０２が一体形成された直方体状のものである。また、図１４に示す包装箱１１０は、上部に開口１１１を有する有底の直方体状の箱本体１１２と、箱本体１１２の開口１１１を着脱自在に塞ぐ蓋１１３とで構成されたものである。
【考案の概要】
【考案が解決しようとする課題】
【０００３】
図１３に示す包装箱１００は、所定の形状を有する１枚のシート材（型紙）を所定の折り目に沿って折り曲げることにより組み立てられるので、製造が容易である。ただし、菓子を収容する包装箱は、店頭に展示されることが多いが、この図１３に示す包装箱１００では、内部に収容された菓子を顧客に見せることができない。そのため、内部の菓子を顧客に視認できるように展示可能となることが望まれている。
【０００４】
一方、図１４に示す包装箱１１０は、蓋１１３を箱本体１１２から取り外せば、内部に収容された菓子を顧客に見せることができる。しかし、この場合、包装箱１１０は、箱本体１１２の底面を下にした寝かせた状態でしか展示することができず、箱本体１１２を起立させた状態で展示すると、内部に収容された菓子が開口１１１から抜け出るおそれがある。加えて、この図１４に示す包装箱１１０では、箱本体１１２及び蓋１１３ともに、所定の形状を有する１枚のシート材（型紙）を所定の折り目に沿って折り曲げることにより組み立てられるので、製造に手間がかかるうえ、コストもかかる。
【０００５】
本考案は、上記した課題に着目してなされたもので、製造が容易であり、かつ、展示の際に内部に収容された菓子などの内容物を顧客に見せることができ、さらに、起立させた状態で展示しても内部に収容された内容物が抜け落ちるおそれのない包装箱を提供することを目的とする。
【課題を解決するための手段】
【０００６】
本考案の上記目的は、１枚のシート材からなる箱本体を備える包装箱であって、前記箱本体は、矩形状の底面板と、前記底面板の前端縁に設けられた前面板と、前記底面板の後端縁に設けられた後面板と、前記前面板及び前記後面板の上端縁同士を接続する天面板と、を有し、前記天面板は、前記箱本体内に収容される内容物を出し入れ可能な開口部を囲む額縁形状であり、前記開口部の前後方向の長さが前記内容物の前後方向の長さよりも短くなるように、前記前面板及び前記後面板から内側に突き出ており、前記天面板には、前記開口部の周縁から垂れ下がりかつ前記箱本体内の内容物を前記前面板及び前記後面板とで囲む左右一対の左側面板及び右側面板が設けられている包装箱により達成される。
【０００７】
上記構成の包装箱において、前記前面板及び前記後面板には、それぞれ左右両端縁から内側に折れ曲がりかつ前記左側面板及び前記右側面板とそれぞれ係止する一対の係止片が設けられていることが好ましい。
【０００８】
この場合には、前記左側面板及び前記右側面板には、それぞれ下端縁から内側に折れ曲がり前記底面板上に重ね合わされる脚部が設けられており、前記係止片は、前記左側面板及び前記右側面板の前記脚部とそれぞれ係止することがさらに好ましい。  
【０００９】
また、上記構成の包装箱において、前記天面板の前記開口部を塞ぐ蓋板をさらに備え、前記蓋板は、中央で折り曲げ可能な１枚のシート材からなり、中央位置に指１本を挿入することができる大きさの挿入孔が形成されていることが好ましい。
【考案の効果】
【００１０】
本考案に係る包装箱によれば、箱本体の天面板が額縁形状に形成されているので、展示の際には、天面板の開口部から内部に収容された菓子などの内容物を顧客に見せることができるうえ、箱本体を起立させた状態で展示しても、内容物が額縁形状の天面板の前後の辺縁部に引っ掛かるので、開口部から抜け落ちることを防止できる。また、顧客への引き渡し時には、箱本体の開口部を蓋板で塞ぐことで、箱本体内の内容物を保護することができる。また、箱本体が１枚のシート材からなり、天面板の開口部を塞ぐ蓋板も単に中央で折り曲げ可能な１枚のシート材からなるので、包装箱の製造も容易である。
【図面の簡単な説明】
【００１１】
【図１】本考案の一実施形態に係る包装箱の斜視図である。
【図２】箱本体の平面図である。
【図３】箱本体の左側面図である。
【図４】箱本体の右側面図である。
【図５】図２のＡ−Ａ断面図である。
【図６】箱本体を展開したシート材の平面図である。
【図７】箱本体を組み立てる途中の状態の平面図である。
【図８】図７の左側面図である。
【図９】蓋板の平面図である。
【図１０】内容物（菓子）の平面図である。
【図１１】内容物（菓子）の正面図である。
【図１２】内容物を収容した状態の箱本体の展示例を示す斜視図である。
【図１３】従来例の包装箱の斜視図である。
【図１４】従来例の包装箱の分解斜視図である。
【考案を実施するための形態】
【００１２】
以下、本考案の実施形態について添付図面を参照して説明する。図１は、本考案の一実施形態である包装箱１の外観構成を示している。また、図２〜図５は、箱本体２の外観構成及び内部構成を示しており、図６は、箱本体２の展開図を示している。包装箱１は、天面に開口部２４を有する箱本体２と、箱本体２の開口部２４を塞ぐ取り外し可能な蓋板３とにより構成されている。なお、本考案では、箱本体２の矩形状の底面板２０の４つの端縁のうち、図２に示すＶＷ方向（本実施形態では長方形の軸方向（長さの長い方向））を左右方向とし、ＸＹ方向（本実施形態では長方形の幅方向（長さの短い方向））を前後方向としている。
【００１３】
箱本体２は、例えば、厚紙、段ボール紙、プラスティックシートなどの１枚のシート材（図６に示す）からなり、底面板２０と、底面板２０の前端縁に設けられる前面板２１と、底面板２０の後端縁に設けられる後面板２２と、前面板２１及び後面板２２の上端縁同士を接続する天面板２３とを有している。底面板２０、前面板２１及び後面板２２は、本実施形態では、それぞれ長方形状であるが正方形状であってもよい。本考案に係る包装箱１では、箱本体２内に、菓子などの内容物１０が上下複数段に積み重ねられた状態で、左右方向に複数列収容される。
【００１４】
天面板２３は、外形は矩形状（本実施形態では長方形状）であるが、開口部２４を囲む額縁形状に形成されている。つまり、天面板２３は、中央に位置する開口部２４と、開口部２４を形作る４つの辺縁部２５Ａ〜２５Ｄとで構成されている。開口部２４は、本実施形態では、４つの角が丸く面取りされた略長方形状であり、この開口部２４から箱本体２内に内容物１０の出し入れが可能である。
【００１５】
開口部２４は、左右方向の長さが左右方向に複数列収容された内容物１０の左右方向の全長よりも長いが、前後方向の長さが内容物１０の前後方向の長さよりも短くなるように、その大きさが形成されている。つまり、天面板２３を構成する４つの辺縁部２５Ａ〜２５Ｄのうち、前側及び後側の辺縁部２５Ａ，２５Ｂは、前面板２１及び後面板２２から内側に突き出ているが、開口部２４の前後方向の長さが内容物１０の前後方向の長さよりも短くなるように、辺縁部２５Ａ，２５Ｂの幅が設定されている。なお、左右両側の辺縁部２５Ｃ，２５Ｄについては、開口部２４の左右方向の長さが内容物１０の左右方向の全長よりも長くなるように、辺縁部２５Ｃ，２５Ｄの幅が設定されている。
【００１６】
天面板２３の開口部２４の周縁には、左右一対の左側面板２６及び右側面板２７が一体に設けられている。左側面板２６及び右側面板２７は、開口部２４の周縁のうち、左右両側の辺縁部２５Ｃ，２５Ｄに沿う部分から垂れ下がっており、天面板２３に対して９０°下側に折り曲げられることで、箱本体２内に収容される内容物１０を前面板２１及び後面板２２とで囲み、箱本体２の左右の開口から内容物１０が抜け出ることを規制している。左側面板２６及び右側面板２７の下端縁には、それぞれ脚部２８が一体に設けられている。脚部２８は、左側面板２６及び右側面板２７に対して９０°内側に折り曲げられており、底面板２０上に重ね合わされる。
【００１７】
前面板２１及び後面板２２の左右両端縁には、それぞれ係止片２９が一体に設けられている。各係止片２９は、前面板２１又は後面板２２に対して内側に折り曲げられており、前面板２１及び後面板２２の一方の係止片２９が左側面板２６と、他方の係止片２９が右側面板２７と、それぞれ係止している。本実施形態では、各係止片２９の下端縁に、先端側（前面板２１又は後面板２２との境目とは反対側）の部分が切り欠かれていることで、所定の長さ延びる差込孔３０が形成されている。この差込孔３０に脚部２８が外側から差し込まれることで、各係止片２９が左側面板２６又は右側面板２７と係止し、各係止片２９が外側に向けて開くことが規制されている。箱本体２の左右の開口を塞ぐ左側面板２６及び右側面板２７に箱本体２内の内容物１０からの荷重が作用すると、左側面板２６及び右側面板２７が外側に開いて前記開口が開放されるおそれがある。しかし、本実施形態では、前記荷重は左側面板２６又は右側面板２７よりも内側に突き出た各係止片２９の先端側の部分により受け止められ、かつ、各係止片２９が左側面板２６又は右側面板２７と係わり合って外側に向けて開くのが規制されていることで、左側面板２６及び右側面板２７が外側に開いて前記開口が開放されることが防止されている。
【００１８】
各係止片２９は、本実施形態では、上端縁の長さよりも下端縁の長さの方が長い（側縁が下側に向けて広がるように傾斜する）台形形状であり、上端縁側の角が丸く面取りされている。また、各係止片２９は、開口部２４から先端側の部分が露出する大きさに形成されているが、先端側の部分が開口部２４から露出し過ぎていると、箱本体２の展示の際に箱本体２を視認したとき、係止片２９が目立ってしまうので、先端側の部分が開口部２４からあまり露出し過ぎない大きさに形成されている。
【００１９】
上記構成の箱本体２は、図６に示す１枚のシート材（型紙）１１を所定の折り目に沿って折り曲げることにより組み立てられる。シート材１１は、長方形状の４連の底面板２０、後面板２２、天面板２３及び前面板２１が折り目１２Ａ〜１２Ｃを介して連続して設けられており、一端側の底面板２０には、折り目１２Ｊを介して、他端側の前面板２１との接着用の貼付片１３が連設されている。前面板２１及び後面板２２の両端縁には、折り目１２Ｄ〜１２Ｇを介して係止片２９が連続して設けられている。天面板２３には、一対の切れ込み１４及び両切れ込み１４と直交する切れ込み１５が入れられることにより、左側面板２６及び右側面板２７が設けられており、左側面板２６及び右側面板２７には、折り目１２Ｈ，１２Ｉを介して脚部２８が連続して設けられている。
【００２０】
上記構成の箱本体２は、まず、図６に示すシート材１１を用い、底面板２０、後面板２２、天面板２３及び前面板２１を所定の折り目に沿って折り曲げ、貼付片１３を前面板２１の内面に糊付けなどすることで、左右両端が開口した筒状に組み立てる（図７及び図８を参照）。そして、各係止片２９を内側に折り曲げた状態で、左側面板２６及び右側面板２７を下側に折り曲げ、脚部２８を係止片２９の差込孔３０に外側から差し込むことで、左側面板２６及び右側面板２７と係止片２９とを係止させる。これにより、左右両端の開口が左側面板２６及び右側面板２７により塞がれるとともに、天面板２３に開口部２４が形成された箱本体２が組み立てられる。
【００２１】
蓋板３は、図９に示すように、例えば、厚紙、段ボール紙、プラスティックシートなどの１枚のシート材からなる。蓋板３は、本実施形態では、矩形状であり、箱本体２の開口部２４を塞ぐことが可能な大きさを有している。具体的には、蓋板３の左右方向の長さは開口部２４の左右方向の長さとほぼ等しいが、前後方向の長さは開口部２４の前後方向の長さよりも長くなるように、その大きさが形成されている。蓋板３は、前後方向の中央を左右方向に延びる折り目１６を介して折り曲げ可能であり、折り曲げられた状態とすることで、開口部２４から箱本体２内に挿入可能となり、その後、折り曲げられた状態から元の状態に開くことで、開口部２４を閉塞可能となる。このとき、蓋板３が開口部２４から露出した各係止片２９の先端側の部分上に支持されることで、蓋板３が箱本体２の底面板２０上に落下するのが防止されている。
【００２２】
蓋板３の中央位置には、指１本を挿入することができる大きさの挿入孔３１が形成されている。この挿入孔３１に指を挿入して蓋板３に引っ掛けることで、蓋板３を容易に開口部２４から引き抜くことができる。
【００２３】
内容物１０は、本実施形態では、洋菓子や和菓子などの菓子を想定しているが、特に限定されるものではなく、様々な内容物を包装箱１に収容可能である。本実施形態の内容物１０は、図１０及び図１１に示すように、矩形状の外装袋１７内に菓子１８が密封されており、外装袋１７と菓子１８との間には、菓子１８よりも外形が一回り大きい台紙１９が介在されている。内容物１０を箱本体２内に収容したときに、各係止片２９の先端側の部分が開口部２４に露出しているため、各係止片２９の先端側の部分が内容物１０の左右両端縁に突き当たるが、外装袋１７内に菓子１８よりも外形が一回り大きい台紙１９が存在していることで、各係止片２９の先端側の部分は台紙１９に突き当たり、菓子１８に接触することが防止される。よって、中身の菓子１８を保護することができる。なお、本実施形態の内容物１０は、外装袋１７の開封を容易にするためのノッチ１７Ａが形成されている辺縁部１７Ｂが前後方向を向くように、箱本体２内に収容される。
【００２４】
上記構成の包装箱１によると、図１２に示すように、箱本体２の天面板２３が額縁形状に形成されているので、展示の際には、天面板２３の開口部２４から内部に収容された菓子などの内容物１０を顧客に見せることができる。そのうえ、箱本体２を起立させた状態（具体的には前面板２１あるいは後面板２２を下にした状態）で展示しても、内容物１０が額縁形状の天面板２３の前後の辺縁部２５Ａ，２５Ｂに引っ掛かるので、開口部２４から抜け落ちることを防止できる。また、顧客への引き渡し時には、箱本体２の開口部２４を蓋板３で塞ぐことで、箱本体２内の内容物１０を保護することができるうえ、蓋板３を取り外す際には、挿入孔３１に指を挿入して蓋板３に引っ掛けるだけで、蓋板３を容易に開口部２４から引き抜くことができる。また、箱本体２が１枚のシート材１１からなり、天面板２３の開口部２４を塞ぐ蓋板３も単に中央で折り曲げ可能な１枚のシート材からなるので、包装箱１の製造も容易である。
【００２５】
また、上記構成の包装箱１によると、前面板２１及び後面板２２の左右両端縁にそれぞれ設けられた係止片２９を、箱本体２の左右の開口を塞ぐ左側面板２６及び右側面板２７と係止させることで、左側面板２６及び右側面板２７が外側に開くことを防止している。よって、左側面板２６及び右側面板２７が開くことを防止するために、例えば底面板２０などに糊付けなどする必要がなく、包装箱１の製造をさらに簡易化することができる。
【００２６】
以上、本考案の一実施形態について説明したが、本考案は上記実施形態に限定されるものではなく、本考案の趣旨を逸脱しない限りにおいて種々の変更が可能である。
【００２７】
例えば、上記実施形態では、左側面板２６及び右側面板２７の下端縁に脚部２８を設けるとともに、各係止片２９の下端縁に脚部２８を差し込ませる差込孔３０を形成して、左側面板２６及び右側面板２７と係止片２９とを係止させているが、例えば、左側面板２６及び右側面板２７に、各係止片２９の先端側の部分（側縁）の少なくとも一部あるいは先端側の部分（側縁）に設けた突片を挿通可能なスリットを形成して、左側面板２６及び右側面板２７から内側に突き出させることで、左側面板２６及び右側面板２７と係止片２９とを係止させてもよい。
【００２８】
また、係止片２９を左側面板２６及び右側面板２７に係止させることなく、左側面板２６及び右側面板２７の下端縁の脚部２８を底面板２０上に糊付けなどすることで、左側面板２６及び右側面板２７が外側に開くことを防止してもよい。このとき、係止片２９は、左側面板２６及び右側面板２７が容易に外側に開かないように、左側面板２６及び右側面板２７を外側から補強するように機能させてもよい。  
【００２９】
また、蓋板３は、包装箱１の必須の構成ではなく、内容物１０が収容された包装箱１を顧客へ引き渡す際には、箱本体２の開口部２４を包装紙などで塞ぐことで、箱本体２内の内容物１０を保護してもよい。
【符号の説明】
【００３０】
１    包装箱
２    箱本体
３    蓋板
１０  内容物
１１  シート材
２０  底面板
２１  前面板
２２  後面板
２３  天面板
２４  開口部
２６  左側面板
２７  右側面板
２８  脚部
２９  係止片
３０  差込孔
３１  挿入孔
【図１】
0003201328.tif 000003
【図２】
0003201328.tif 000004
【図３】
0003201328.tif 000005
【図４】
0003201328.tif 000006
【図５】
0003201328.tif 000007
【図６】
0003201328.tif 000008
【図７】
0003201328.tif 000009
【図８】
0003201328.tif 000010
【図９】
0003201328.tif 000011
【図１０】
0003201328.tif 000012
【図１１】
0003201328.tif 000013
【図１２】
0003201328.tif 000014
【図１３】
0003201328.tif 000015
【図１４】
0003201328.tif 000016